(57)【要約】【課題】  本発明は、回転するディスク上にヘッドを位置決めしてディスクをアクセスするディスク装置に関し、ロード／アンロード時のヘッドの安定性を図る。【解決手段】  アーム１５の先端部をディスク１２から離れた位置に保持するランプ２０Ｃと、ディスク１２の側面に側面が対面し、ランプ２０Ｃに保持された状態のアーム１５の先端部と重なる位置まで広がり、ディスク１２の厚さと同一の厚さを有し、ディスク１２と同一面を成す空気流制御板３０１を有するスリットシュラウド３０とを備えた。【選択図】        図１０
2008047165.tif 000002
【特許請求の範囲】
【請求項１】
回転するディスク上に、回動することにより先端部を該ディスクと対面する位置と該ディスクから離れた位置との間で該ディスク表面に沿う方向に移動させるアームの、該先端部に備えられたヘッドを位置決めして、該ヘッドで該ディスクをアクセスするディスク装置において、
前記アーム先端部を前記ディスクから離れた位置に保持するランプと、
前記アーム先端部の移動方向に関し、少なくとも、前記ディスク側面の近傍から前記ランプに保持された状態の該アーム先端部と対面する位置まで広がる空気流制御板とを備えたことを特徴とするディスク装置。
【請求項２】
前記アームは、該アームの回動中心から延びるキャリッジと、該キャリッジ先端部に後端部が取り付けられて該キャリッジ先端部からさらに延び先端部に前記ヘッドを備えたサスペンションとを有するものであって、
前記空気流制御板は、前記アームが延びる方向については、前記サスペンションの先端部近傍から、該サスペンションの、前記キャリッジに取り付けられた後端部近傍までを覆うように広がるものであることを特徴とする請求項１記載のディスク装置。
【請求項３】
前記空気流制御板は、前記ディスクの厚さと同一の厚さを有し該ディスクと同一面を成すものであることを特徴とする請求項１記載のディスク装置。
【請求項４】
前記空気流制御板は、前記ランプに隣接して配備された空気流制御部材に設けられてなることを特徴とする請求項１記載のディスク装置。
【請求項５】
前記空気流制御部材は、前記ランプの、前記ディスクから離れた側の面と前記アームの回動中心を向いた面との２つの面に対面した、ランプとの部品干渉を避ける逃げ溝を有していることを特徴とする請求項４記載のディスク装置。
【請求項６】
前記ランプと前記空気流制御部材との双方を支持する支持体を備え、
前記空気流制御部材は、前記ランプの、前記ディスクから離れた側の面を覆う部分が前記支持体に締結され該締結を緩めることにより該部分を中心に回動自在に構成されていることを特徴とする請求項５記載のディスク装置。
【請求項７】
前記空気流制御板は、前記ランプが形成された部材と同一の部材に設けられていることを特徴とする請求項１記載のディスク装置。
【請求項８】
前記ヘッドは、前記ディスク表面に浮上するスライダを有するものであって、
前記空気流制御板は、前記アーム先端部が前記ランプに保持された状態における前記スライダの全域と対面する領域を含んでさらに広がった形状を有するものであることを特徴とする請求項７記載のディスク装置。
【請求項９】
前記アームは、該アームの回動中心から延びるキャリッジと、該キャリッジ先端部に後端部が取り付けられて該キャリッジ先端部からさらに延び、先端部に前記ヘッドを備えたサスペンションとを有するものであり、
前記ヘッドは、前記サスペンション先端部に揺動自在に支持されたジンバルと、該ジンバルに支持されたスライダとを有するものであって、
前記空気流制御板は、前記アーム先端部が前記ランプに保持された状態における前記ジンバルの、前記アームの回動中心側の端よりも該回動中心側にさらに広がった形状を有するものであることを特徴とする請求項７記載のディスク装置。
【請求項１０】
前記空気流制御板は、該空気流制御板の前記ディスク側の側面が該ディスクの側面に対面し、該ディスクの側面との間に一定の隙間を持って延在するものであることを特徴とする請求項７記載のディスク装置。
【発明の詳細な説明】
【技術分野】
【０００１】
本発明は、回転するディスク上にヘッドを位置決めしてディスクをアクセスするディスク装置に関する。
【背景技術】
【０００２】
従来より磁気ディスク装置がコンピュータに内蔵されあるいは外付けされて多用されており、近年では、狭義のコンピュータのみでなく、ビデオ装置、デジタルカメラ、カーナビゲーション装置等にも組み込まれている。
【０００３】
この磁気ディスク装置には、大別してＣＳＳ（コンタクトストップスタート）方式と呼ばれる方式とロード／アンロード方式と呼ばれる方式が存在する。ＣＳＳ方式は、磁気ディスクをアクセスする磁気ヘッドをその磁気ディスク上に載せたままにしておく方式である。このＣＳＳ方式の場合は、磁気ディスクが回転するとその回転に伴う空気流により磁気ヘッドが磁気ディスク表面から僅かに浮き上がり、その状態で磁気ヘッドにより磁気ディスクがアクセスされる。
【０００４】
一方、ロード／アンロード方式は、磁気ディスクの回転停止時には磁気ディスクの外周から外れた位置に磁気ヘッドを移動させて（これをアンロードと称する）待機させておき、磁気ディスクを回転させてから磁気ヘッドをその磁気ディスク上に移動させる（これをロードと称する）方式である。
【０００５】
従来は、ＣＳＳ方式が主流であったが、近年の磁気ディスクの高密度化等に伴ない磁気ディスクの表面粗さが小さくなってきて、磁気ヘッドが磁気ディスク表面に一旦接触するとそのまま吸着してしまうという吸着（スティクション）障害を引き起こす危険性が高まってきている。
【０００６】
また、磁気ディスク装置を内蔵したノート型パーソナルコンピュータ等の可搬型機器の場合、しばしば持ち運ばれるため、高い耐衝撃性が必要とされ、ＣＳＳ方式の場合は磁気ヘッドが磁気ディスクに接触するため衝撃には不利であるという問題もある。
【０００７】
このようなことから、近年では磁気ディスク装置にロード／アンロード方式が広く採用されてきている。ロード／アンロード方式の場合、動作停止時には磁気ヘッドが磁気ディスクから離れた位置で待機するため、ＣＳＳ方式と比べ高い耐衝撃性を保つことができる。
【０００８】
図１は、ロード／アンロード方式の磁気ディスク装置の、上カバーを取り外した状態の概略構成図である。
【０００９】
この磁気ディスク装置１０Ａには、図示しないディスクコントロールモータ（ＤＣＭ）によって、回転軸１１を中心に矢印Ａ方向に回転駆動される磁気ディスク１２が備えられている。
【００１０】
また、この磁気ディスク装置１０Ａには、磁気ディスク１２に対向する磁気ヘッド１３（図２参照）を先端部に備え回転軸１４を中心に回動するアーム１５、およびそのアーム１５を回動駆動して磁気ヘッド１３を磁気ディスク１２の半径方向に移動させるボイスコイルモータ（ＶＣＭ）１６が装備されている。また、この磁気ディスク装置１０Ａには、装置内の空気を乾燥状態に保つための乾燥剤活性炭ユニット（ＡＤユニット）１７が備えられている。
【００１１】
さらに、この磁気ディスク装置１０Ａには、アンロード時のアーム１５の先端部を保持するランプ２０Ａが備えられている。
【００１２】
磁気ディスク１２へのデータの書込み、あるいは磁気ディスクに記憶されているデータの読出しにあたっては、ＤＣＭ１６によって磁気ディスク１２が回転駆動されている状態においてＶＣＭ１６によってアーム１５が回動駆動され、そのアーム１５が、図１に示す、ランプ２０に保持された状態から外れて、その先端部に備えられている磁気ヘッド１３（図２参照）が磁気ディスク１２上に移動（ロード）し、さらにその磁気ヘッド１３が磁気ディスク１２上の所望のトラックに位置決めされて、磁気ヘッド１３によって、磁気ディスク１２上の所望のトラックに、その磁気ディスク１３の回転に伴って順次に磁気的にデータが書き込まれ、あるいは順次に磁気的にデータがピックアップされる。磁気ディスク１２への書込み、あるいは磁気ディスク１２からの読出しが終了すると、アーム１５が図１に示す位置までアンロードされてランプ２０に保持され、磁気ディスク１２の回転が停止する。
【００１３】
図２は、図１に示すアーム１５の先端部分の概略構造を示す図である。
【００１４】
アーム１５は、そのアーム１５の回転軸から延びるキャリッジ１５１と、そのキャリッジ１５１の先端部に後端部が取り付けられてキャリッジ１５１の先端部からさらに延び、先端部に磁気ヘッド１３を備えたサスペンション１５２とを有するものであり、また、磁気ヘッド１３は、サスペンション１５２の先端部に揺動自在に支持されたジンバル１３１と、そのジンバル１３１に支持されたスライダ１３２とを有する。
【００１５】
このアーム１５が磁気ディスク１２の上にロードされると、スライダ１３２がその磁気ディスク１２から極めて僅かだけ浮上した状態となり、そのスライダ１３２の一部に設けられた、磁気ディスク１２を直接にアクセスする要素により、磁気ディスク１２にデータが書き込まれ、あるいは磁気ディスク１２からデータが読み出される。
【００１６】
図３は、図１に示す磁気ディスク装置１０Ａのアーム１５の先端部とランプ２０Ａを示した拡大平面図、図４は、ランプ２０Ａの斜視図である。アーム１５の最先端には、角部１５３が形成されており、アンロード時には、その角部１５３がランプ２０Ａの舌部２１に設けられた支持面２１１に支持される。磁気ディスク１５は第１面と第２面との双方がアクセスされるため、アーム１５は、磁気ディスク１５の第１面に対向する磁気ヘッドを備えたアームと磁気ディスク１５の第２面に対向する磁気ヘッドを備えたアームとの２本が上下に重なって延びており、アンロード時には、それら２本のアームそれぞれの角部１５３が、ランプ２０Ａの舌部２１の上下面である２つの支持面１２１にそれぞれ支持される。
【００１７】
ここで、磁気ディスク装置は、磁気ディスクと磁気ヘッドを極めて接近させた状態を保つ必要があるため、磁気ディスクの回転の安定性や、ロード／アンロード時の磁気ヘッドの移動安定性が問題となる。特に近年の小型化、軽量化に伴い、不用意なわずかな風の発生により不安定な動作が発生するおそれが増してきている。
【００１８】
特許文献１〜４には、磁気ディスクの回転に伴って発生する空気流をコントロールして磁気ディスクや磁気ディスク上をアクセスする磁気ヘッドの安定性を向上させる技術が提案されている。
【特許文献１】実公昭５５−１６９６７０号公報
【特許文献２】特開２０００−２２８０７９号公報
【特許文献３】特開２００４−１５２３７３号公報
【特許文献４】特開２００４−２３４９８４号公報
【発明の開示】
【発明が解決しようとする課題】
【００１９】
上掲の特許文献１〜４の技術は、磁気ディスクの回転安定性やそれに伴ってその磁気ディスク上をアクセスしている磁気ヘッドの走行安定性を狙ったものであるが、ロード／アンロード方式の場合、磁気ヘッドのロード時、アンロード時には、磁気ヘッドの環境は、磁気ディスク上と磁気ディスクから離れた場所とで急激に変化し、磁気ディスクのみが安定的に回転していてもロード／アンロード時に磁気ディスクに磁気ヘッドが接触するおそれがある。しかしながら、上記の特許文献１〜４はＣＳＳ方式の磁気ディスク装置を念頭に置いたものであり、ロード／アンロード時の磁気ヘッドの安定性については考慮されていない。
【００２０】
つまり、磁気ディスクの回転によってディスク面上および周辺に空気流が発生するが、磁気ディスクの外周端での、各ディスク面からの空気流の合流によるものや、その他経路での空気流の外乱の発生により各磁気ヘッドが各ディスク面から離れた位置において各サスペンションがこの空気流の直撃を受け、上下方向或いは左右方向に振動してしまい、ロード／アンロード時において磁気ヘッドの磁気ディスクに対する浮上位置やランプに対する位置の安定性に影響することが懸念される。
【００２１】
本発明は、上記事情に鑑み、ロード／アンロード時のヘッドの安定性が図られたディスク装置を提供することを目的とする。
【課題を解決するための手段】
【００２２】
上記目的を達成する本発明のディスク装置は、回転するディスク上に、回動することにより先端部をディスクと対面する位置とディスクから離れた位置との間でディスク表面に沿う方向に移動させるアームの、先端部に備えられたヘッドを位置決めして、そのヘッドでディスクをアクセスするディスク装置において、
アーム先端部をディスクから離れた位置に保持するランプと、
アーム先端部の移動方向に関し、少なくとも、ディスク側面の近傍からランプに保持された状態のアーム先端部と対面する位置まで広がる空気流制御板とを備えたことを特徴とする。
【００２３】
本発明のディスク装置は、少なくとも、ディスク側面の近傍からランプに保持された状態のアーム先端部と対面する位置まで広がる空気流制御板を備えているため、ヘッドのロード／アンロード時における、ディスクの外周およびその近傍における上下方向の空気流が遮断される。このため、安定した環境の下でヘッドのロード／アンロードが行なわれ、ディスクへのヘッドの接触の可能性が大きく低減する。
【００２４】
ここで、本発明のディスク装置において、上記アームは、そのアームの回動中心から延びるキャリッジと、キャリッジ先端部に後端部が取り付けられてキャリッジ先端部からさらに延び先端部にヘッドを備えたサスペンションとを有するものであって、空気流制御板は、アームが延びる方向については、サスペンションの先端部近傍から、サスペンションの、キャリッジに取り付けられた後端部近傍までを覆うように広がるものであることが好ましい。
【００２５】
空気流制御板を、ヘッドがロード／アンロードする間のサスペンションの軌跡に沿った形状に近づけることで、空気流による悪影響を確実に防止できる。
【００２６】
また、本発明のディスク装置において、空気流制御板は、ディスクの厚さと同一の厚さを有しディスクと同一面を成すものであることが好ましい。
【００２７】
ディスク面と空気流制御板の面を同一面とすることで、空気流の乱れがさらに確実に防止できる。
【００２８】
本発明のディスク装置において、空気流制御板は、ランプに隣接して配備された空気流制御部材に設けられてなるものであってもよい。
【００２９】
空気流制御板をランプと別部材に設けると、これまで実績のあるランプの形状を変更することなく、空気流制御板を備えることができる。
【００３０】
空気流制御板をランプとは別の空気流制御部材に設けた構成の場合に、その空気流制御部材は、ランプの、ディスクから離れた側の面とアームの回動中心を向いた面との２つの面に対面した、ランプとの部品干渉を避ける逃げ溝を有していることが好ましい。
【００３１】
この逃げ溝を有することで、空気流制御部材を可能な限りランプに近づけることができ、ヘッドのロード／アンロード時の空気流による振動を抑制することが可能となる。
【００３２】
また、空気流制御板をランプとは別部材である空気流制御部材に設けた構成の場合に、さらに、ランプと空気流制御部材との双方を支持する支持体を備え、空気流制御部材は、ランプの、ディスクから離れた側の面を覆う部分が支持体に締結されその締結を緩めることによりその部分を中心に回動自在に構成されていることが好ましい。
【００３３】
共通の支持体を備えると、ランプと空気流制御部材との相互の位置関係を高精度に保った組立てが可能となる。また、その空気流制御部材を回動自在に構成すると、装置組立て時におけるランプと空気流制御部材の位置合わせが容易となる。
【００３４】
また、本発明のディスク装置において、空気流制御板は、ランプが形成された部材と同一の部材に設けられていることも好ましい形態である。
【００３５】
空気流制御板をランプと同一の部材に設けると、部品点数が削減され、組立性が向上する。
【００３６】
ここで、空気流制御板をランプと同一の部材に設けた構成の場合に、ヘッドは、ディスク表面に浮上するスライダを有するものであって、空気流制御板は、アーム先端部がランプに保持された状態におけるスライダの全域と対面する領域を含んでさらに広がった形状を有するものであることが好ましく、さらに、アームは、アームの回動中心から延びるキャリッジと、キャリッジ先端部に後端部が取り付けられてキャリッジ先端部からさらに延び、その先端部にヘッドを備えたサスペンションとを有するものであり、ヘッドは、サスペンション先端部に揺動自在に支持されたジンバルと、ジンバルに支持されたスライダとを有するものであって、空気流制御板は、アーム先端部がランプに保持された状態におけるジンバルの、アームの回動中心側の端よりもその回動中心側にさらに広がった形状を有するものであることがさらに好ましい。
【００３７】
空気流制御板をスライダ全域と対面する領域を含んでさらに広がった形状とすることで、空気流の安定性が図られる。また、空気流制御板を、ジンバルの、アームの回動中心側の端よりもその回動中心側にさらに広がった形状とすると、空気流をさらに安定させることができる。
【００３８】
また、空気流制御板をランプと同一の部材に設けた構成において、空気流制御板は、その空気流制御板のディスク側の側面がディスクの側面に対面し、ディスクの側面との間に一定の隙間を持って延在するものであることが好ましい。
【００３９】
ディスクは回転するため空気流制御板をディスクに接触させることはできない。そこで、空気流制御板の側面をディスクの側面に対面させ、ディスクの側面との間に一定の隙間を持って延在させることにより、空気流の乱れを極力抑えることができる。
【発明の効果】
【００４０】
以上の本発明によれば、ヘッドのロード／アンロード時の環境を安定化させることができ、ロード／アンロード時の、ディスクへのヘッドの接触可能性を低減し、ディスク及びヘッドの破損を防止することが可能になる。従って、ディスク装置の信頼性の向上や長寿命化が図られる。
【発明を実施するための最良の形態】
【００４１】
以下、本発明の実施形態について説明する。
【００４２】
図５は、本発明の第１実施形態としての磁気ディスク装置の、上カバーを取り外した状態の概略構成図である。
【００４３】
この図５に示す磁気ディスク装置１０Ｂは、図１に示す磁気ディスク装置１０Ａと比べ、ランプの形状が異なる点のみ相違し、したがって共通の要素については図１に付した符号と同一の符号を付して示し、重複説明は省略する。
【００４４】
図６は、図５に示す磁気ディスク装置１０Ｂの、アーム１５の先端部とランプ２０Ｂを示した拡大平面図、図７はランプ２０Ｂの斜視図である。
【００４５】
図１〜図４を参照して説明した磁気ディスク装置１０Ａと比べ、アームの構造（図２参照）は同一であり、ランプの構造が異なっている。
【００４６】
この実施形態の磁気ディスク装置１０Ｂのランプ２０Ｂは、図６，図７に示すように舌部２１から、アーム１５の回転軸１４（図５参照）側に向って広がる空気流制御板２２を備えている。
【００４７】
この空気流制御板２２は、図６に示すように、その空気流制御板２２の磁気ディスク１２側の側面が、その磁気ディスク１２の側面に対面し、その磁気ディスク１２の側面との間に一定の隙間ｃを持って延在している。
【００４８】
また、この空気流制御板２２の、図７に示す厚さｔは、磁気ディスク１２の厚さと同一であり、高さ方向（図５の、紙面に垂直な方向）についても、磁気ディスク１２と同一の高さに配置されている。したがって、この空気流制御板２２の表裏面は、磁気ディスク１５の表裏面とそれぞれ同一面を形成している。
【００４９】
また、この空気流制御板２２は、アーム１５先端の角部１５３がランプ２０Ｂに支持されアンロード状態にあるときの、スライダ１３２（図２参照）の全域と対面する領域を含んでさらに広がった形状を有し、さらには、そのスライダ１３２が支持されているジンバル１３１（図２参照）の、アーム１５の回転軸１４（図５参照）側の端よりもその回転軸１４側にさらに広がった形状を有している。これにより、磁気ヘッドのロード／アンロードで通過する領域の空気流の安定化が図られ、磁気ヘッドのロード／アンロードの安定化が図られている。
【００５０】
図８は、比較例（図８（Ａ））と本発明の実施例（図８（Ｂ））における、振動測定結果を示す図である。ここには、図４に示す構造のランプ２０Ａを備えた磁気ディスク装置２０Ａ（図８（Ａ））と、図７に示す構造のランプ２０Ｂを備えた磁気ディスク装置２０Ｂ（図８（Ｂ））における、アンロード状態におけるスライダ１３２（図２参照）の、レーザ振動計による振動の測定結果が示されている。
【００５１】
図８（Ａ）と図８（Ｂ）との比較から明らかな通り、空気流制御板２２がヘッドの振動の抑制に大きく寄与している。
【００５２】
図９は、本発明の第２実施形態としての磁気ディスク装置の、上カバーを取り外した状態の概略構成図である。
【００５３】
この図９に示す磁気ディスク装置１０Ｃにおいても、図１，図２に示す磁気ディスク装置１０Ａ，１０Ｂと比べ、形状等が異なっても同一の機能を有する要素には、図１において付した符号と同一の符号を付して示し、本質的な相違点のみについて説明する。
【００５４】
図９に示す磁気ディスク装置１０Ｃには、同形の磁気ディスク１２が同軸に４枚所定間隔を置いて重ねられており、矢印Ａ方向に同時に回転駆動される。これに対応して、アーム１５も、４枚の磁気ディスク１２それぞれの第１面および第２面をアクセスする各磁気ヘッドを搭載するだけの本数分形成されており、同時に回動駆動される。
【００５５】
また、この磁気ディスク装置１０には、アンロード時のアーム１５の先端部を保持するランプ２０Ｃと、ロード／アンロード時のアーム１５の走行安定性を保つためのスリットシュラウド３０と、それらランプ２０Ｃとスリットシュラウド３０との双方がネジ止めされてそれらの双方を支持する支持部材４０が備えられている。
【００５６】
図１０は、図９に示す磁気ディスク装置の、ランプおよびスリットシュラウドの部分の拡大斜視図、図１１は、図１０に示すランプおよびスリットシュラウンドをアームの長手方向に沿って断面して示した断面図、図１２は、図１１に示す断面を斜めから見た断面斜視図である。
【００５７】
ランプ２０Ｃとスリットシュラウド３０は、それぞれ別部品として構成され、図１０に示すように、各ネジ５１，５２により、磁気ディスク装置のケースを構成するベースに設けられた共通の支持部材４０上に並列にネジ止めされ、これによりランプ２０Ｃとスリットシュラウド３０の相互の位置決めが高精度に行なわれている。
【００５８】
アーム１５（図９参照）は、前述と同様、アーム１５の回転軸１４側のキャリッジ１５１と、その先端部に後端部が取り付けられてキャリッジ１５１の先端部からさらに延びるサスペンション１５２とで構成されており、図１１，図１２に示すように、そのサスペンション１５２の、磁気ディスク１２との対向面に磁気ヘッド１３が備えられている。
【００５９】
また、スリットシュラウド３０には、磁気ディスク１２の枚数（４枚）に合わせて４枚の空気流制御板３０１がくし歯状に形成されている。
【００６０】
これら４枚の空気流制御板３０１は、それぞれ、図１０に示すように、対応する磁気ディスク１２の側面に側面が近接して対面し、ランプ２０Ｃに保持された状態のアーム１５を構成するサスペンション１５２と重なる位置まで広がっている。
【００６１】
つまり、空気流制御板３０１は、ディスクの外周側面近傍からランプ完了位置に保持されたサスペンション１５２と対面する位置までの、サスペンションの移動方向に少なとも広がっている。また、スリットシュラウドの空気流制御板３０１は、サスペンション１５２の先端部近傍からキャリッジ１５１への取り付け端近傍までの長手方向を覆うように延在している。
【００６２】
ゆえに、スリットシュラウドの空気流制御板３０１を、ランプ上をランプ開始位置からランプ完了位置まで移動しているサスペンション１５２の軌跡に沿った形状と可能な限り近い形状にすることで、空気流による影響を確実に防止することができる。なお、本実施形態では、サスペンション１５２は、弾性を有する部材で構成され、キャリッジ１５１は、剛性を有する部材で構成されている為、この場合は、少なくともサスペンション１５２に空気流の影響が受けないような形状にするのが良い。
【００６３】
更に、キャリッジ１５１への空気流の影響をも防止するため、回転軸１４近傍まで延長させた形状としても良い。
【００６４】
上記の空気流制御板３０１を備えることにより、サスペンション先端部の磁気ヘッドのロード／アンロード時において、各磁気ディスク面の外周端及びその近傍における上下方向の空気流を遮断することが可能になる。ゆえに、磁気ヘッドが安定した環境となり、安定した環境の下でロード／アンロードが安定的に行なわれ、磁気ディスクへの磁気ヘッドの接触の可能性が大きく低減する。
【００６５】
また、スリットシュラウド３０は、ランプ２０Ｃの側面のすぐ近くに配置される。空気流制御板３０１はランプ２０Ｃとの部品干渉を避けるように逃げ溝３０２（図１０参照）が設けられているので、スリットシュラウド３０の空気流制御板３０１を可能な限りランプ２０Ｃの側面に近づけることができ、サスペンション１５２の先端の磁気ヘッド３０の近傍において空気流による影響が抑制される。
【００６６】
また、スリットシュラウド３０は、ネジ５２を緩めた状態においてそのネジ５２を中心に支持体４０に対して回転可能に構成されているので、装置組み立て時にランプ２０Ｃ、アーム５０などの位置合わせが容易になる。
【００６７】
そして、サスペンション１５２は、それら４枚の空気流制御板３０１の上面、空気流制御板３０１どうしに挟まれたスリット内、および下面に沿ってロード／アンロードする。      
【００６８】
これら４枚の空気流制御板３０１は、それぞれが磁気ディスク１２の１枚分の厚さと同一の厚さを有し磁気ディスク１２と同一面を形成しており、したがってアーム１５（サスペンション１５２）のロード／アンロード時の風の強さや風向き等の環境は磁気ディスク１２上にあるときとほぼ近似した環境となり、不用意な風の発生を避け安定的にロード／アンロードが行なわれる。
【００６９】
尚、ここでは、磁気ディスク装置を取り上げて説明したが、本発明は、磁気ディスク装置に限られず、ディスクとヘッドを同様な構成で有するディスク装置に適用可能である。
【図面の簡単な説明】
【００７０】
【図１】ロード／アンロード方式の磁気ディスク装置の、上カバーを取り外した状態の概略構成図である。
【図２】図１に示すアームの先端部分の概略構造を示す図である。
【図３】図１に示す磁気ディスク装置の、アームの先端部とランプを示した拡大平面図である。
【図４】ランプの斜視図である。
【図５】本発明の第１実施形態としての磁気ディスク装置の、上カバーを取り外した状態の概略平面図である。
【図６】図５に示す磁気ディスク装置の、アームの先端部とランプを示した拡大平面図である。
【図７】ランプの斜視図である。
【図８】比較例と本発明の実施例における、振動測定結果を示す図である。
【図９】本発明の第２実施形態としての磁気ディスク装置の、上カバーを取り外した状態の概略構成図である。
【図１０】図９に示す磁気ディスク装置の、ランプおよびスリットシュラウドの部分の拡大斜視図である。
【図１１】図１０に示すランプおよびスリットシュラウンドをアームの長手方向に沿って断面して示した断面図である。
【図１２】図１１に示す断面を斜めから見た断面斜視図である。
【符号の説明】
【００７１】
１０Ａ，１０Ｂ，１０Ｃ    磁気ディスク装置
１１    回転軸
１２    磁気ディスク
１３    磁気ヘッド
１３１    ジンバル
１３２    スライダ
１４    回転軸
１５    アーム
１５１    キャリッジ
１５２    サスペンション
１５３    角部
１６    ボイスコイルモータ（ＶＣＭ）
１７    乾燥剤活性炭ユニット（ＡＤユニット）
２０Ａ，２０Ｂ，２０Ｃ    ランプ
２１    舌部
２１１    支持面
２２    空気流制御板
３０    スリットシュラウド
３０１    空気流制御板
３０２    逃げ溝
４０    支持部材
５１，５２    ネジ
【図１】
2008047165.tif 000003
【図２】
2008047165.tif 000004
【図３】
2008047165.tif 000005
【図４】
2008047165.tif 000006
【図５】
2008047165.tif 000007
【図６】
2008047165.tif 000008
【図７】
2008047165.tif 000009
【図８】
2008047165.tif 000010
【図９】
2008047165.tif 000011
【図１０】
2008047165.tif 000012
【図１１】
2008047165.tif 000013
【図１２】
2008047165.tif 000014